(57)【要約】【課題】２つの制御部から、センサーを制御可能とすること。【解決手段】ウェアラブルスピーカー１は、センサー１０と、ＳｏＣ２と、ＭＣＵ３と、ＳｏＣ２からの信号と、ＭＣＵ３からの信号と、のＯＲを取り、センサー１０とＭＣＵ３とをオンとするためのイネーブル信号を出力するＯＲ回路１２と、を備える。ウェアラブルスピーカー１は、センサー１０に電源電圧を供給するＤＣＤＣコンバータ５をさらに備え、ＯＲ回路１２は、ＤＣＤＣコンバータ５に信号を出力する。【選択図】図２
2020162403.tif 000002
【特許請求の範囲】
【請求項１】
センサーと、
第１制御部と、
第２制御部と、
前記第１制御部からの信号と、前記第２制御部からの信号と、のＯＲを取り、前記センサーと前記第２制御部とをオンとするためのイネーブル信号を出力するＯＲ回路と、を備えることを特徴とする電子機器。
【請求項２】
前記センサーに電源電圧を供給するＤＣＤＣコンバータをさらに備え、
前記ＯＲ回路は、前記ＤＣＤＣコンバータに信号を出力することを特徴とする請求項１に記載の電子機器。
【請求項３】
前記第２制御部は、自機器を、電源オン、第１スリープ、第２スリープ、シャットダウンの状態に遷移させることを特徴とする請求項１又は２に記載の電子機器。
【請求項４】
前記センサーは、動きを検出する第１センサーと、近接を検出する第２センサーと、を有することを特徴とする請求項１〜３のいずれか１項に記載の電子機器。
【請求項５】
前記第２制御部は、電源オンの状態で、
前記第２センサーが近接を検出している場合、電源オンの状態を維持し、
前記第２センサーが近接を検出せず、所定時間経過した場合、第１スリープに移行することを特徴とする請求項４に記載の電子機器。
【請求項６】
前記第２制御部は、第１スリープの状態で、
前記第２センサーが近接を検出していない場合、第１スリープの状態を維持し、
前記第２センサーが近接を検出せず、所定時間経過した場合、第２スリープに移行し、  前記第２センサーが近接を検出した場合、電源オンに移行することを特徴とする請求項４又は５に記載の電子機器。
【請求項７】
前記第２制御部は、第２スリープの状態で、
前記第１センサーが動きを検出していない場合、第２スリープの状態を維持し、
前記第１センサーが動きを検出せず、所定時間経過した場合、シャットダウンに移行し、
前記第１センサーが動きを検出した場合、第１スリープに移行することを特徴とする請求項４〜６のいずれか１項に記載の電子機器。
【請求項８】
バッテリーをさらに備え、
前記第１制御部は、
前記バッテリーの充電を制御し、
前記バッテリーの残量が所定値未満となった場合に、自部の電源をオフし、前記第２制御部に、自部の電源をオフすることを通知し、
前記第２制御部は、前記第１制御部からの通知を受けて、自部の電源をオフし、前記センサーへ電源を供給させないことを特徴とする請求項１〜７のいずれか１項に記載の電子機器。
【発明の詳細な説明】
【技術分野】
【０００１】
本発明は、センサーを備える電子機器に関する。
【背景技術】
【０００２】
腕等の人体に装着されるウェアラブルタイプの電子機器は、例えば、Bluetooth（登録商標）規格に従って、スマートフォン等と無線通信を行う。出願人は、加速度センサーと近接センサーとを用いて、電子機器が自動的にオンとなる発明を特許出願している（特願２０１８−２０７８６５）。例えば、電子機器は、ＳｏＣ（System on Chip）、ＭＣＵ（Micro Control Unit）等の制御部を備えている。
【０００３】
なお、特許文献１には、「センサ５０１の検出結果から電圧オフ制御ユニット５００が電源オフモードにすべきと判断した場合には、電圧制御ユニット３００に電源オフモードを要求する。電源オフモード要求を受けた電圧制御ユニット３００は、システムＬＳＩ２００に供給する電圧を遮断することで、スタンバイ動作モードに対してさらなる省電力効果が得られる。」発明が開示されている。
【先行技術文献】
【特許文献】
【０００４】
【特許文献１】特開２００５−００４５２２号公報
【発明の概要】
【発明が解決しようとする課題】
【０００５】
電子機器が、例えば、ＳｏＣ、ＭＣＵ等の２つの制御部を備える場合、２つの制御部からセンサーを制御できれば、自由にセンサーを制御することができる。
【０００６】
本発明の目的は、２つの制御部から、センサーを制御可能とすることである。
【課題を解決するための手段】
【０００７】
第１の発明の電子機器は、センサーと、第１制御部と、第２制御部と、前記第１制御部からの信号と、前記第２制御部からの信号と、のＯＲを取り、前記センサーと前記第２制御部とをオンとするためのイネーブル信号を出力するＯＲ回路と、を備えることを特徴とする。
【０００８】
本発明では、ＯＲ回路は、第１制御部からの信号と、第２制御部からの信号と、のＯＲを取り、センサーと第２制御部とをオンとするためのイネーブル信号を出力する。これにより、第１制御部と第２制御部とから、センサーを制御することができる。
【０００９】
第２の発明の電子機器は、第１の発明の電子機器において、前記センサーに電源電圧を供給するＤＣＤＣコンバータをさらに備え、前記ＯＲ回路は、前記ＤＣＤＣコンバータに信号を出力することを特徴とする。
【００１０】
第３の発明の電子機器は、第１又は第２の発明の電子機器において、前記第２制御部は、自機器を、電源オン、第１スリープ、第２スリープ、シャットダウンの状態に遷移させることを特徴とする。
【００１１】
第４の発明の電子機器は、第１〜第３のいずれかの発明の電子機器において、前記センサーは、動きを検出する第１センサーと、近接を検出する第２センサーと、を有することを特徴とする。
【００１２】
第５の発明の電子機器は、第４の発明の電子機器において、前記第２制御部は、電源オンの状態で、前記第２センサーが近接を検出している場合、電源オンの状態を維持し、前記第２センサーが近接を検出せず、所定時間経過した場合、第１スリープに移行することを特徴とする。
【００１３】
第６の発明の電子機器は、第４又は第５の発明の電子機器において、前記第２制御部は、第１スリープの状態で、前記第２センサーが近接を検出していない場合、第１スリープの状態を維持し、前記第２センサーが近接を検出せず、所定時間経過した場合、第２スリープに移行し、前記第２センサーが近接を検出した場合、電源オンに移行することを特徴とする。
【００１４】
第７の発明の電子機器は、第４〜第６のいずれかの発明の電子機器において、前記第２制御部は、第２スリープの状態で、前記第１センサーが動きを検出していない場合、第２スリープの状態を維持し、前記第１センサーが動きを検出せず、所定時間経過した場合、シャットダウンに移行し、前記第１センサーが動きを検出した場合、第１スリープに移行することを特徴とする。
【００１５】
第８の発明の電子機器は、第１〜第７のいずれかの発明の電子機器において、バッテリーをさらに備え、前記第１制御部は、前記バッテリーの充電を制御し、前記バッテリーの残量が所定値未満となった場合に、自部の電源をオフし、前記第２制御部に、自部の電源をオフすることを通知し、前記第２制御部は、前記第１制御部からの通知を受けて、自部の電源をオフし、前記センサーへ電源を供給させないことを特徴とする。
【００１６】
本発明では、第１制御部は、バッテリーの残量が所定値未満となった場合に、自部の電源をオフし、第２制御部に、自部の電源をオフすることを通知する。第２制御部は、第１制御部からの通知を受けて、自部の電源をオフし、センサーへ電源を供給させない。これにより、バッテリーの消耗を防止することができる。
【発明の効果】
【００１７】
本発明によれば、第１制御部と第２制御部とから、センサーを制御することができる。
【図面の簡単な説明】
【００１８】
【図１】本発明の実施形態に係るウェアラブルスピーカーの外観を示す斜視図である。
【図２】本発明の第１実施形態に係るウェアラブルスピーカーの構成を示すブロック図である。
【図３】ウェアラブルスピーカーの遷移状態を示す図である。
【図４】本発明の第２実施形態に係るウェアラブルスピーカーの構成を示すブロック図である。
【発明を実施するための形態】
【００１９】
以下、本発明の実施形態について説明する。図１は、本発明の実施形態係るウェアラブルスピーカーの外観を示す斜視図である。図１に示すように、ウェアラブルスピーカー１（電子機器）は、略Ｕ字型の筐体を備えており、ユーザーの首に装着される。すなわち、ウェアラブルスピーカー１は、ユーザーの首に装着されるウェアラブルタイプのスピーカーである。筐体は、例えば、樹脂製である。
【００２０】
（第１実施形態）
図２は、本発明の第１実施形態に係るウェアラブルスピーカーの構成を示すブロック図である。ウェアラブルスピーカー１は、例えば、スマートフォンとBluetooth（登録商標）（以下、「ＢＴ」という。）規格に従って、無線通信を行う。図２に示すように、ウェアラブルスピーカー１は、ＳｏＣ２、ＭＣＵ３、電源ボタン４、ＤＣＤＣコンバータ５、６、ゲート７、アンプ８、ＤＳＰ９、センサー１０、ＯＲ回路１１、１２を備える。
【００２１】
ＳｏＣ（System on Chip）２（第１制御部）（メインプロセッサ）は、ＣＰＵ（Central Processing Unit）、ＤＳＰ（Digital Signal Processor）、メモリ等を有し、ウェアラブルスピーカー１を構成する各部を制御する。また、ＳｏＣ２は、ＢＴ通信機能を備えており、スマートフォンとＢＴ無線通信を行う。ＳｏＣ２は、スマートフォンから、例えば、音声信号を受信する。
【００２２】
ＭＣＵ（Micro Controller Unit）３（第２制御部）は、ウェアラブルスピーカー１の状態（後述する第１スリープ等）を制御する。電源ボタン４は、ウェアラブルスピーカー１の電源オンを受け付けるためのボタンである。ＤＣＤＣコンバータ５は、バッテリーからの電源電圧ＶＢＡＴを変圧し、ＭＣＵ３、ゲート７、センサー１０に供給する。ＤＣＤＣコンバータ６は、バッテリーからの電源電圧ＶＢＡＴを変圧し、ＤＳＰ９に供給する。ＤＣＤＣコンバータ５からの電圧は、ゲート７を経由し、アンプ８のデジタル系の電源として、アンプ８に供給される。
【００２３】
センサー１０は、加速度センサー（第１センサー）と、近接センサー（第２センサー）と、を有する。加速度センサーは、動きを検出する。例えば、ユーザーにより、テーブル等に載置されているウェアラブルスピーカー１が持ち上げられると、加速度センサーは、動きを検出する。近接センサーは、近接を検出する。例えば、ユーザーにより、ユーザーの首にウェアラブルスピーカー１が装着されると、近接センサーは、近接を検出する。ＯＲ回路１１は、ＭＣＵ３からの信号と電源ボタン４からの信号とのＯＲを取り、ＳｏＣ２に出力する。ＯＲ回路１２は、ＳｏＣ２からの信号とＭＣＵ３からの信号とのＯＲを取り、ＤＣＤＣコンバータ５に出力する。この信号は、ＤＣＤＣコンバータ５のイネーブル信号である。ＯＲ回路１１、１２は、トランジスタ（ＭＯＳＦＥＴ）２個で構成されるワイアードＯＲである。バッテリーからの電源電圧ＶＢＡＴは、ＳｏＣ２、ＤＣＤＣコンバータ５、６、ゲート７、アンプ８に供給される。
【００２４】
ＤＣＤＣコンバータ５は、ＳｏＣ２から電源コントロールを受けるが、ＭＣＵ３からも、ＤＣＤＣコンバータ５をオンとすることができる。ＤＣＤＣコンバータ６、ゲート７は、ＳｏＣ２からのみの電源コントロールを受ける。ＤＣＤＣコンバータ５、及び、ＤＣＤＣコンバータ６は、出力のオンオフ制御を行うためのイネーブル端子を備えている。これらは、同じくイネーブル端子を備えたリニアレギュレータ、又は、昇降圧機能を持たずに、出力のオンオフ制御のみを行えるＭＯＳＦＥＴのスイッチに置き換えることも可能である。
【００２５】
ウェアラブルスピーカー１は、図３に示すように、シャットダウン、電源オン、第１スリープ、第２スリープ状態を遷移する。「シャットダウン」は、ほぼ全ての回路の電源が切れており、電源ボタン４のみを受け付ける状態である。ウェアラブルスピーカー１の工場出荷時においては、シャットダウンの状態であり、電力消費は、最小となっている。「電源オン」は、全ての回路（ＳｏＣ２、ＭＣＵ３、アンプ８、ＤＳＰ９）の電源が入っている。近接センサーに基づいて、ウェアラブルスピーカー１のユーザーへの装着状態でないと判定されると、ウェアラブルスピーカー１は、第１スリープに移行する。
【００２６】
「第１スリープ」において、ＳｏＣ２、ＤＳＰ９、アンプ８のデジタル系の電源は、オフである。近接センサーに基づいて、ウェアラブルスピーカー１のユーザーへの装着状態であると判定されると、ウェアラブルスピーカー１は、電源オンに移行する。一定時間（例えば、１〜１０分程度）、ウェアラブルスピーカー１の装着状態と判定できない状態が続くと、ウェアラブルスピーカー１は、第２スリープに移行する。なお、第１スリープにおいて、バッテリーからの電源ＶＢＡＴは、ＳｏＣ２に供給されている。また、アンプ８のアナログ系電源は、ＶＢＡＴであるため、常時通電されている（パワーダウン時、１μＡ消費）。
【００２７】
「第２スリープ」において、電源状態は、第１スリープと同じである。加速度センサーに基づいて、動きが検出されると、ウェアラブルスピーカー１は、第１スリープに移行する。長時間（例えば、２〜３日）、動きがないと、ウェアラブルスピーカー１は、自動的にシャットダウン状態となり、電源ボタン４以外の操作を受け付けなくなる。
【００２８】
ＭＣＵ３は、リセット解除で、ＳｏＣ２のパワーステータスを確認する。ＭＣＵ２は、ＳｏＣ２がオンであれば、電源オン、ＳｏＣ２がオフであれば、第１スリープにステータスを設定する。ＭＣＵ３は、電源オン状態において、近接センサーを監視している。ＭＣＵ３は、近接センサーが近接を検出しなければ、第１スリープに遷移する。第１スリープ移行時、ＭＣＵ３は、ＳｏＣ２のＶＲＥＧＥＮにパルスを与えて、ＳｏＣ２をオフとする。ＳｏＣ２がオフになると、ウェアラブルスピーカー１は、第１スリープに遷移する。
【００２９】
ＭＣＵ３は、第１スリープにおいて、近接センサーを監視している。ＭＣＵ２は、近接センサーにより近接が検出された場合、電源オンに遷移する。ＭＣＵ２は、近接センサーにより近接が検出されず、所定時間経過すると（タイムアウト）、第２スリープに遷移する。ＭＣＵ３は、電源オン移行時、ＳｏＣ２のＶＲＥＧＥＮにパルスを与えて、ＳｏＣ２をオンとする。ＳｏＣ２がオンになると、ウェアラブルスピーカー１は、電源オンに遷移する。
【００３０】
ＭＣＵ３は、第２スリープにおいて、加速度センサーを動き検出モードに設定し、スリープとなる。ＭＣＵ３は、加速度センサーによる動き検出の割り込みが入ると、第１スリープに遷移する。ＳｏＣ２がオンとなると、ウェアラブルスピーカー１は、電源オンに遷移する。ＭＣＵ３は、長周期タイマーの割り込みで、起動し、タイムアウトのチェックを行う。タイムアウトすると、ＭＣＵ３は、自らの電源をオフし、シャットダウン状態に遷移する。
【００３１】
ＳｏＣ２は、起動時に、ＰＩＯ２を「ハイ（Ｈ）」にしてから、ＭＣＵ３をリセットする。なお、ＰＩＯ２を「ハイ（Ｈ）」にすると、ＭＣＵ３、センサー１０の電源が入っていない場合、ＭＣＵ３にパワーオンリセットがかかる回路が働き、リセットがかかるという動作となる。パワーオンリセットは、電源電圧の立ち上がりに応じて、リセットパルスを出す回路であり、そのようなＩＣが用いられる。この回路は、ＭＣＵに内蔵されている場合もある。これ以外にも、ＳｏＣ２から、別の制御線がＭＣＵ３に出ており、それでリセットがかけられる場合もある。また、ＳｏＣ２は、シャットダウン時に、ＰＩＯ２を「ロー（Ｌ）」にする。ＭＣＵ３は、ＰＩＯ２を監視し、「ロー（Ｌ）」になったら、ウェアラブルスピーカー１をスリープする（第１スリープ）。
【００３２】
以上説明したように、本実施形態では、ＯＲ回路１２は、ＳｏＣ２からの信号と、ＭＣＵ３からの信号と、のＯＲを取り、センサー１０とＭＣＵ３とをオンとするためのイネーブル信号を出力する。これにより、ＳｏＣ２とＭＣＵ３とから、センサー１０を制御することができる。
【００３３】
（第２実施形態）
第１実施形態において、ＳｏＣ２は、バッテリーの充電制御も行っている。ＳｏＣ２は、バッテリー残量が少なくなると、自発的にオフとなる。この場合でも、ＭＣＵ３と、センサー１０とは、ウェアラブルスピーカー１を自動的にオンとするために、待機状態となっており、バッテリーを消耗し続けているという問題がある。
【００３４】
図４は、本発明の第２実施形態に係るウェアラブルスピーカーの構成を示すブロック図である。ウェアラブルスピーカー１０１は、ＳｏＣ１０２、ＭＣＵ１０３、ＤＣＤＣコンバータ１０５、センサー１１０、ＯＲ回路１１１、バッテリー１１３を備える。ＳｏＣ１０２（第１制御部）、ＭＣＵ１０３（第２制御部）、ＤＣＤＣコンバータ１０５、センサー１１０、ＯＲ回路１１２は、それぞれ、ＳｏＣ２、ＭＣＵ３、ＤＣＤＣコンバータ５、センサー１０、ＯＲ回路１２と、同様のものである。
【００３５】
ＳｏＣ１０２は、バッテリー１１３の充電を制御する。ＳｏＣ１０２は、バッテリー１１３の残量が所定値未満となった場合に、ＳｏＣ１０２の電源をオフし、ＭＣＵ１０３に、ＳｏＣ１０２の電源をオフすることを通知する。ＭＣＵ１０３は、ＳｏＣ１０２からの通知を受けて、ＭＣＵ１０３の電源をオフし、センサー１１０へ電源を供給させない。これにより、バッテリー１１３の電源が消耗することを防止することができる。なお、センサー１１０への電源供給は、第１実施形態同様、ＤＣＤＣコンバータ１０５から行われ、ＤＣＤＣコンバータ１０５の制御は、ＯＲ回路１１２を介して、ＳｏＣ１０２、ＭＣＵ１０３により行われる。
【００３６】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３７】
上述の実施形態においては、電子機器として、首に装着されるウェアラブルスピーカー１を例示した。これに限らず、センサーを備えていれば、他の電子機器であってもよい。
【産業上の利用可能性】
【００３８】
本発明は、センサーを備える電子機器に好適に採用され得る。
【符号の説明】
【００３９】
１、１０１  ウェアラブルスピーカー（電子機器）
２、１０２  ＳｏＣ（第１制御部）
３、１０３  ＭＣＵ（第２制御部）
５、１０５  ＤＣＤＣコンバータ
１０、１１０  センサー
１２、１１２  ＯＲ回路
【図１】
2020162403.tif 000003
【図２】
2020162403.tif 000004
【図３】
2020162403.tif 000005
【図４】
2020162403.tif 000006